(57)【要約】【課題】  ホールの外部での出球管理が可能で、複数のパチンコホールの出球状況を容易に集計することが可能な遊技機用情報通信システムを提供する。【解決手段】  遊技機用情報通信システムを、接続されたホストコンピュータ５７へと周期的に特定情報を送信する複数の遊技機５１、５１・・と、各遊技機５１から送信された特定情報を集計する演算手段、特定情報を記憶する記憶手段、及び携帯電話２と接続可能で、特定情報を外部に送信する送信制御部を備えたホストコンピュータ５７と、ホストコンピュータ５７から送信された集計後の特定情報を無線により外部サーバ３に送信する携帯電話２と、携帯電話２から送信された特定情報を記憶する記憶手段、及び受信した特定情報を表示する表示手段を備えた外部サーバ３とで構成した。【選択図】図９
2005161084.tif 000002
【特許請求の範囲】
【請求項１】
コンピュータの受信制御部と接続可能な送信ポートを備え、その接続されたコンピュータへと送信ポートを介して周期的に特定情報を送信する複数の遊技機と、
それらの遊技機から送信された特定情報を集計する第一の演算手段、第一の演算手段により集計された特定情報を記憶する第一の記憶手段、及び携帯通信端末と接続可能で、第一の記憶手段に記憶された特定情報を外部に送信する送信制御部を備えたコンピュータと、
送信制御部に接続され、コンピュータから送信された集計後の特定情報を無線により外部サーバへと送信する携帯通信端末と、
携帯通信端末から送信された特定情報を記憶する第二の記憶手段、及び受信した特定情報を表示する第一の表示手段を備えた外部サーバと
からなることを特徴とする遊技機用情報通信システム。
【請求項２】
外部サーバが、携帯通信端末から送信された特定情報を集計するための第二の演算手段を備えており、第二の演算手段により集計された特定情報をコンピュータに返信するとともに、コンピュータが、各種データを表示可能な第二の表示手段を備えており、外部サーバから返信された集計後の特定情報を受信すると、第二の表示手段に表示することを特徴とする請求項１に記載の遊技機用情報通信システム。
【請求項３】
特定情報が、賞品球数、入賞球数、非入賞球数に関連した出球関連情報であることを特徴とする請求項１または２に記載の遊技機用情報通信システム。
【発明の詳細な説明】
【技術分野】
【０００１】
本発明は、遊技機用情報通信システムに関するものである。
【背景技術】
【０００２】
パチンコ機には、遊技者へ払い戻された遊技球の個数をカウントするための払出球検出装置が設置されている。また、パチンコ機を設置する島設備には、パチンコ機へ投入された遊技球の個数をカウントするためのカウンタが設置されている。そして、島設備に設置されたカウンタによってカウントされた遊技球の投入個数から払出球検出装置によってカウントされた払い戻し個数を差し引くことによって、パチンコ機における出球数（差球数）の計算が行われている。また、その出球数を用いて、出球の管理が行われている。
【発明の開示】
【発明が解決しようとする課題】
【０００３】
しかしながら、上記従来の出球管理方法は、出球状況をパチンコホールの外部で把握することができないし、その上、系列ホール等の複数のパチンコホールの出球状況を集計することが困難であった。
【０００４】
本発明の目的は、上記従来の出球管理方法の問題点を解消し、ホールの外部での出球管理が可能で、複数のパチンコホールの出球状況を容易に集計することが可能な遊技機用情報通信システムを提供することにある。
【課題を解決するための手段】
【０００５】
かかる本発明の構成のうち、請求項１に記載された発明の構成は、コンピュータの受信制御部と接続可能な送信ポートを備え、その接続されたコンピュータへと送信ポートを介して周期的に特定情報を送信する複数の遊技機と、それらの遊技機から送信された特定情報を集計する第一の演算手段、第一の演算手段により集計された特定情報を記憶する第一の記憶手段、及び携帯通信端末と接続可能で、第一の記憶手段に記憶された特定情報を外部に送信する送信制御部を備えたコンピュータと、送信制御部に接続され、コンピュータから送信された集計後の特定情報を無線により外部に送信する携帯通信端末と、携帯通信端末から送信された特定情報を記憶する第二の記憶手段、及び受信した特定情報を表示する第一の表示手段を備えた外部サーバとからなることにある。
請求項２に記載された発明の構成は、請求項１に記載の遊技機用情報通信システムにおいて、外部サーバが、携帯通信端末から送信された特定情報を集計可能な第二の演算手段を備えており、第二の演算手段により集計された特定情報をコンピュータに返信するとともに、コンピュータが、各種データを表示可能な第二の表示手段を備えており、外部サーバから返信された集計後の特定情報を受信すると、第二の表示手段に表示することにある。
請求項３に記載された発明の構成は、請求項１または２に記載の遊技機用情報通信システムにおいて、特定情報が、賞品球数、入賞球数、非入賞球数に関連した出球関連情報であることにある。
なお、携帯通信端末とは、携帯電話やＰＨＳ等の移動体通信装置、各種のモバイル等の携帯に適した通信機器のことである。また、遊技機の記憶手段は、不揮発性のメモリー、バックアップ機能付きのメモリー、ハードディスク等であると好ましい。
【発明の効果】
【０００６】
本発明の情報通信システムによれば、複数の場所に設置された遊技機に関連した特定情報を、遊技機の設置場所以外の場所で集中的に管理することができる。
【発明を実施するための最良の形態】
【０００７】
以下、本発明にかかる遊技機用情報通信システム（以下、単に情報通信システムという）の一実施形態を、図面に基づいて詳細に説明する。
【０００８】
［実施例１］
図１は、実施例１の情報通信システムＳ１を示したものである。情報通信システムＳ１は、複数のパチンコホールに設置されたパチンコ機１，１・・、携帯電話２、および外部（たとえば、パチンコ機１のメーカー）に設置された外部サーバ３によって構成されている。
【０００９】
図２、図３は、それぞれ、パチンコ機１の前面、背面を示す説明図である。機台の前面の中央よりやや上側には、各種の入賞装置４，４・・や障害釘５，５・・を設置した遊技領域６が設けられており、その遊技領域６の下端には、アウト球（非入賞球）を回収するためのアウト口７が設けられている。そして、そのアウト口７の内部には、アウト球検出装置８が設置されている。一方、機台の背面の中央上側には、島設備から補給された遊技球をストックするための遊技球タンク９が設置されており、その遊技球タンク９の右下側には、遊技球タンク９内の遊技球を貸出球や賞品球として払い出すための遊技球払出装置１０が設置されている。そして、その遊技球払出装置１０の下端際には、賞品球として払い出す遊技球の個数を検出するための払出球検出装置１１が設置されている。加えて、機台の背面の中央よりやや下側には、パチンコ機１の作動を制御する制御装置１８が設置されており、その制御装置１８の右下側には、入賞装置４，４・・に入賞した遊技球を検出するための入賞球検出装置１３が設置されている。
また、機台の背面の右上方には、携帯電話２等の外部の電子機器と接続するための第一接続端子２６、およびコンピュータ等の外部の電子機器と接続するための第二接続端子２８が設けられており、それらの第一接続端子２６、第二接続端子２８の左側には、制御装置１８内に記憶された「出球関連情報」を出力させるための送信スイッチ２５が設けられている。
【００１０】
図４は、パチンコ機１の制御機構を示したものである。パチンコ機１の制御装置１８は、記憶手段１４、演算手段１５、データ変換手段１６、タイマ１７等を有しており、アウト球検出装置８、払出球検出装置１１、入賞球検出装置１３等と接続されている。加えて、制御装置１８は、出力制御部１２と接続されている。さらに、出力制御部１２は、第一接続端子２６、第二接続端子２８と接続されている。
【００１１】
一方、図５は、外部サーバ３の制御機構を示すブロック図である。外部サーバ３の制御装置１９は、記憶手段２０、演算手段２１、データ変換手段２９等を有しており、画面に各種のデータを表示可能な表示手段２２、キーボードにより入力可能な入力手段２３等と接続されている。また、制御装置１９は、信号を送受信するための送受信制御部２４と接続されており、その送受信制御部２４には、電話回線２０が接続されている。
【００１２】
以下、情報通信システムＳ１の作用について説明する。
【００１３】
各パチンコ機１，１・・においては、電源が投入された後、払出球検出装置１０によって賞品球が払い出された場合には、その賞品球が払出球検出装置１１によって検出され、検出された賞品球の積算個数が、制御装置１８の記憶手段１４によって、出球関連情報である「賞品球数」として記憶される。そして、賞品球が検出される毎に、その「賞品球数」が更新される。また、各入賞装置４，４・・に遊技球が入賞すると、その入賞球が、入賞球検出装置１３によって検出され、検出された入賞球の積算個数が、記憶手段１４によって、出球関連情報である「入賞球数」として記憶される。そして、入賞球が検出される毎に、その「賞品球数」が更新される。一方、打ち出された遊技球が入賞装置４，４・・に入賞せず、アウト口７まで流下した場合には、そのアウト球（非入賞球）がアウト球検出装置８によって検出され、検出されたアウト球の積算個数が、記憶手段１４によって、出球関連情報である「アウト球数」として記憶される。そして、入賞球が検出される毎に、その「アウト球数」が更新される。
【００１４】
一方、制御装置１８内では、タイマ１７の機能によって周期的に、下の演算式によって、出球関連情報である「出球総数」が算出される。
「出球総数」＝「賞品球数」−「入賞球数」−「アウト球数」
算出された「出球総数」は、記憶手段１４によって記憶され、周期的に算出される毎に更新される。
【００１５】
また、パチンコ機１の第一接続端子２６に携帯電話２を接続した状態で、送信スイッチ２５を操作した場合には、データ変換手段１６によって、算出された「出球総数」のデータに、予め設定されている外部サーバ３のアドレスデータが添付され、そのアドレスデータが添付された「出球総数」が、携帯電話２に送信され、携帯電話２の回線を介して外部に送信される。
【００１６】
一方、外部サーバ３は、各パチンコ機１，１・・から送信された「出球総数」を、電話回線を介して受信すると、その「出球総数」を、経時的に集計して、図６の如く、その結果を画像として表示手段２２に出力する。さらに、データ変換手段２９によって、集計後の「出球総数」に携帯電話２のアドレスデータを添付した後に、そのアドレスデータが添付された集計後の「出球総数」を携帯電話２や別の携帯電話に返信する。
【００１７】
パチンコ機１は、上記の如く、「出球関連情報」を記憶するための記憶手段１４と、携帯電話２を接続し、その接続された携帯電話２に、記憶手段１４に記憶された「出球関連情報」を送信するための送信ポート（出力制御部１２、第一接続端子２６）とが設けられているため、接続された携帯電話２を介して、タイムリーな「出球関連情報」を外部に送信することができる。したがって、パチンコ機１によれば、「出球関連情報」の管理をパチンコホールの外部で容易に行うことができる。加えて、「出球関連情報」の管理をパチンコホールの外部で行うことができるので、パチンコホール内で「出球関連情報」を操作する不正行為を、効果的に防止することができる。
【００１８】
また、情報通信システムＳ１は、パチンコ機１，１・・と、それらのパチンコ機１，１・・から送信された「出球関連情報」を無線により外部に送信する携帯電話２と、携帯電話２から送信された「出球関連情報」を記憶し、定期的に集計するとともに、その集計された「出球関連情報」を表示する外部サーバ３とからなるものであるため、情報通信システムＳ１によれば、各パチンコホールにおけるパチンコ機１，１・・の「出球関連情報」を、外部サーバ３によって集中的に管理することができる。さらに、外部サーバ３が、集計後の「出球関連情報」を携帯電話２や別の携帯電話に返信するとともに、携帯電話２や別の携帯電話が、返信された集計後の「出球関連情報」を受信するものであるため、情報通信システムＳ１によれば、集計されたタイムリーな「出球関連情報」を、パチンコホール内その他の場所で直ちに確認することができる。
【００１９】
［実施例２］
図７は、実施例２の情報通信システムＳ２を示したものである。情報通信システムＳ２は、複数のパチンコホールに設置されたパチンコ機３１，３１・・、および外部に設置された外部サーバ３によって構成されている。
【００２０】
図８は、パチンコ機３１，３１・・の制御機構を示したものである。パチンコ機３１は、実施例１のパチンコ機１と同様に、制御装置３２に出力制御部１２が接続されている。そして、その出力制御部１２には、送信回路３３が接続されており、送信回路３３には、アンテナ３４が接続されている。パチンコ機３１のその他の構成は、パチンコ機１と同様である。
【００２１】
以下、情報通信システムＳ２の作用について説明する。
【００２２】
各パチンコ機３１，３１・・においても、実施例１のパチンコ機１と同様に、電源投入以降、賞品球が払い出された場合には、その賞品球が払出球検出装置１１によって検出され、検出された賞品球の積算個数が「賞品球数」として記憶される。また、各入賞装置４，４・・に遊技球が入賞すると、その入賞球が、入賞球検出装置１３によって検出され、検出された入賞球の積算個数が「入賞球数」として記憶される。さらに、打ち出された遊技球がアウト口７まで流下した場合には、そのアウト球がアウト球検出装置８によって検出され、検出されたアウト球の積算個数が「アウト球数」として記憶される。
【００２３】
一方、制御装置１４内で、タイマ１７の機能によって周期的に、実施例１のパチンコ機１と同じ演算式によって、「出球総数」を算出し、記憶手段１４によって、算出された「出球総数」を記憶する。そして、「出球総数」が算出される毎に、記憶されている「出球総数」を更新する。
【００２４】
また、データ変換手段１６によって、算出された「出球総数」のデータに、外部サーバ３のアドレスデータを添付し、そのアドレスデータが添付された「出球総数」を、アンテナ３４から外部に送信する。
【００２５】
一方、外部サーバ３は、実施例１の情報通信システムＳ１の場合と同様に、各パチンコ機３１，３１・・から送信された「出球関連情報」を受信すると、その「出球関連情報」を、経時的に集計して、その結果を画像として表示手段２２に出力する。
【００２６】
実施例２のパチンコ機３１は、「出球関連情報」を記憶するための記憶手段１４と、および記憶手段１４に記憶された「出球関連情報」を無線により外部に送信するための送信ポートである出力制御部１２、送信回路３３、アンテナ３４が設けられているため、タイムリーな「出球関連情報」を外部に送信することができる。したがって、パチンコ機３１によれば、「出球関連情報」の管理をパチンコホールの外部で容易に行うことができる。加えて、「出球関連情報」の管理をパチンコホールの外部で行うことができるので、パチンコホール内で「出球関連情報」を操作する不正行為を、効果的に防止することができる。また、パチンコ機３１によれば、携帯電話等を介在させる必要がないので、非常に短時間で容易に情報を伝達することができる。
【００２７】
また、情報通信システムＳ２は、パチンコ機３１，３１・・と、それらのパチンコ機３１，３１・・から送信された「出球関連情報」を記憶し、定期的に集計するとともに、その集計された「出球関連情報」を表示する外部サーバ３とからなるものであるため、情報通信システムＳ２によれば、実施例１の情報通信システムＳ１と同様に、各パチンコホールにおけるパチンコ機１，１・・の「出球関連情報」を、外部サーバ３によって集中的に管理することができる。
【００２８】
［実施例３］
図９は、実施例３の情報通信システムＳ３を示したものである。情報通信システムＳ３は、パチンコホールに設置されたパチンコ機５１，５１・・、各パチンコ機５１，５１・・と接続されたホストコンピュータ５７、携帯電話２、および外部に設置された外部サーバ３によって構成されている。
【００２９】
図１０は、情報通信システムＳ３で使用されるパチンコ機５１，５１・・の制御機構を示したものである。パチンコ機５１の制御装置５５は、記憶手段５２、演算手段５３、タイマ５４等を有しており、出力制御部５６と接続されている。さらに、出力制御部５６には、外部のコンピュータと接続するための接続端子６５が接続されている。パチンコ機５１のその他の構成は、実施例１のパチンコ機１と同様である。
【００３０】
また、図１１は、ホストコンピュータ５７の制御機構を示したものであり、ホストコンピュータ５７の制御装置５８には、データ変換手段５９、記憶手段６０、演算手段６１が設けられており、画面に各種のデータを表示可能な表示手段６２、キーボードにより入力可能な入力手段６３等が接続されている。また、制御装置５８には、外部から信号を受信するための受信制御部６４、外部に信号を送信するための送信制御部６５が接続されている。そして、ホストコンピュータ５７は、受信制御部６４を介して、各パチンコ機１，１・・と接続されており、送受信制御部２４を介して、携帯電話２に接続されている。
【００３１】
以下、情報通信システムＳ３の作用について説明する。
【００３２】
各パチンコ機５１，５１・・においても、実施例１のパチンコ機１、実施例２のパチンコ機３１と同様に、電源投入以降、払出球検出装置１１によって検出された賞品球の積算個数が「賞品球数」として記憶され、入賞球検出装置１３によって検出された入賞球の積算個数が「入賞球数」として記憶され、アウト球検出装置８によって検出されたアウト球の積算個数が「アウト球数」として記憶される。そして、記憶した「賞品球数」、「入賞球数」、「アウト球数」を、タイマ５４の機能によって周期的に、ホストコンピュータ５７に送信する。
【００３３】
一方、「賞品球数」、「入賞球数」、「アウト球数」を受信したホストコンピュータ５７は、制御装置５５内で、実施例１のパチンコ機１と同様の演算式によって、「出球総数」を算出し、記憶手段６０によって、その「出球総数」を記憶する。そして、算出される毎に、「出球総数」を更新する。また、送信スイッチ２５を操作すると、データ変換手段５９によって、算出された「出球総数」のデータに、外部サーバ３のアドレスデータが添付され、そのアドレスデータが添付された「出球総数」が、送信制御部６５に接続された携帯電話２を介して、外部に送信される。
【００３４】
一方、外部サーバ３は、実施例１の情報通信システムＳ１、実施例２の情報通信システムＳ２の場合と同様に、各パチンコ機５１，５１・・から送信された「出球関連情報」を受信すると、その「出球関連情報」を、経時的に集計して、その結果を画像として表示手段２２に出力する。さらに、データ変換手段２９によって、集計後の「出球関連情報」にホストコンピュータ５７のアドレスデータを添付した後に、そのアドレスデータが添付された集計後の「出球関連情報」をホストコンピュータ５７に返信する。
【００３５】
一方、外部サーバ３から集計後の「出球関連情報」を返信されたホストコンピュータ５７は、その集計後の「出球関連情報」を受信して、画像として表示手段６２に出力する。
【００３６】
実施例３のパチンコ機５１，５１は、上記の如く、コンピュータを接続し、その接続されたコンピュータに「出球関連情報」を送信するための送信ポート（出力制御部５６、接続端子６５）を設けたものであるため、接続されたコンピュータ（ホストコンピュータ５７）、携帯電話２等を介して、タイムリーな「出球関連情報」を外部に送信することができる。したがって、パチンコ機５１によれば、「出球関連情報」の管理を、パチンコホールの外部で容易に行うことができる。加えて、「出球関連情報」の管理をパチンコホールの外部で行うことができるので、パチンコホール内で「出球関連情報」を操作する不正行為を、効果的に防止することができる。
【００３７】
また、実施例３の情報通信システムＳ３は、パチンコ機５１，５１・・と、パチンコ機５１，５１・・から送信された「出球関連情報」を集計し、その集計された「出球関連情報」を外部に送信するホストコンピュータ５７と、ホストコンピュータ５７から送信された集計後の「出球関連情報」を無線により外部に送信する携帯電話２と、携帯電話２から送信された「出球関連情報」を表示する外部サーバ３とからなるものであるため、実施例３の情報通信システムＳ３によれば、実施例１の情報通信システムＳ１、実施例２の情報通信システムＳ２と同様に、各パチンコホールにおけるパチンコ機５１，５１・・の「出球関連情報」を、外部サーバ３によって集中的に管理することができる。さらに、外部サーバ３が、集計後の「出球関連情報」をホストコンピュータ５７に返信するとともに、ホストコンピュータ５７が、返信された集計後の「出球関連情報」を受信して表示するものであるため、情報通信システムＳ３によれば、集計されたタイムリーな「出球関連情報」を、パチンコホール内で直ちに確認することができる。
【００３８】
なお、本発明の遊技機、および情報通信システムの構成は、上記した各実施例の態様に何ら限定されるものではなく、パチンコ機、携帯通信端末、ホストコンピュータ、外部サーバ等の構成を、本発明の趣旨を逸脱しない範囲で、必要に応じて適宜変更できる。
【００３９】
たとえば、遊技機に携帯通信端末を接続するための接続端子を設ける場合には、実施例１の如く、携帯通信端末接続用の接続端子を、コンピュータ接続用の接続端子と別個に設ける必要はなく、携帯通信端末、コンピュータのいずれをも接続可能な接続端子を１個のみ設けることも可能である。また、遊技機は、アウト球検出装置をアウト口の内部に設置したものに限定されず、機台の下端際等の部位にアウト球検出装置を設けたものでも良い。さらに、遊技機は、入賞球検出装置を機台の下方に１個のみ設けたものに限定されず、入賞球検出装置を各入賞装置に別々に設けたもの等でも良い。加えて、払出球検出装置の設置位置も、遊技球払出装置の下側に何ら限定されない。また、遊技機に特定情報を無線により外部に出力するための出力ポートを設ける場合には、必ずしも遊技機に出力制御部、送信回路、アンテナ等を設置する必要はなく、遊技機に携帯電話やＰＨＳ等を内蔵させることも可能である。
【００４０】
一方、本発明の情報通信システムは、「賞品球数」から「入賞球数」および「アウト球数」を減算することによって「出球総数」を算出するものに限定されず、その他の演算式によって算出するものでも良い。また、特定情報として「出球関連情報」を送受信するものに限定されず、「大当たりの回数」や故障時のエラー情報等を特定情報として送受信するものでも良い。加えて、情報通信システムを実施例１の如く構成する場合には、情報通信システムは、遊技機が「賞品球数」、「入賞球数」、「アウト球数」から算出した「出球総数」を携帯通信端末によって外部サーバに送信するものに限定されず、遊技機が「賞品球数」、「入賞球数」、「アウト球数」を携帯通信端末によって外部サーバに送信し、外部サーバがそれらの「賞品球数」、「入賞球数」、「アウト球数」から「出球総数」を算出するもの等でも良い。
【００４１】
なお、本発明の遊技機は、パチンコ機に限定されず、スロットマシーン等の他の遊技機でも良い。加えて、本発明のネットワークシステムは、パチンコ機を外部サーバと有線あるいは無線で接続したものに限定されず、スロットマシーン等の他の遊技機を外部サーバと接続したものでも良い。
【図面の簡単な説明】
【００４２】
【図１】情報通信システムを示す説明図である。
【図２】パチンコ機の正面を示す説明図である。
【図３】パチンコ機の背面を示す説明図である。
【図４】パチンコ機の制御機構を示すブロック図である。
【図５】外部サーバの制御機構を示すブロック図である。
【図６】外部サーバの表示画面を示す説明図である。
【図７】情報通信システムを示す説明図である。
【図８】パチンコ機の制御機構を示すブロック図である。
【図９】情報通信システムを示す説明図である。
【図１０】パチンコ機の制御機構を示すブロック図である。
【図１１】ホストコンピュータの制御機構を示す説明図である。
【符号の説明】
【００４３】
１・・パチンコ機、２・・携帯電話、３・・外部サーバ、４・・入賞装置、５・・障害釘、６・・遊技領域、７・・アウト口、８・・アウト球検出装置、９・・遊技球タンク、１０・・遊技球払出装置、１１・・払出球検出装置、１２・・出力制御部、１３・・入賞球検出装置、１４・・記憶手段、１５・・演算手段、１６・・データ変換手段、１７・・タイマ、１８・・制御装置、１９・・制御装置、２０・・記憶手段、２１・・演算手段、２２・・表示手段、２３・・入力手段、２４・・送受信制御部、２５・・送信スイッチ、２６・・第一接続端子、２８・・第二接続端子、２９・・データ変換手段、３１・・パチンコ機、３２・・制御装置、３３・・送信回路、３４・・アンテナ、５１・・パチンコ機、５２・・記憶手段、５３・・演算手段、５４・・タイマ、５５・・制御装置、５６・・出力制御部、５７・・ホストコンピュータ、５８・・制御装置、５９・・データ変換手段、６０・・記憶手段、６１・・演算手段、６２・・表示手段、６３・・入力手段、６４・・受信制御部、６５・・接続端子、Ｓ１〜Ｓ３・・情報通信システム。
【図１】
2005161084.tif 000003
【図２】
2005161084.tif 000004
【図３】
2005161084.tif 000005
【図４】
2005161084.tif 000006
【図５】
2005161084.tif 000007
【図６】
2005161084.tif 000008
【図７】
2005161084.tif 000009
【図８】
2005161084.tif 000010
【図９】
2005161084.tif 000011
【図１０】
2005161084.tif 000012
【図１１】
2005161084.tif 000013